(57)【特許請求の範囲】
【請求項１】
自転車の子乗せ装置に配設されているシートを覆うシートカバーであって、
表面側から裏面側に折り返された形状とされ、シートの外周の一部を表面側と裏面側との両側から包み込んだ状態に被せる被装部を有し、
前記被装部の少なくとも一部が、子乗せ本体とシートとの間に挟みこまれる位置に形成されていることを特徴とする自転車の子乗せ装置用シートカバー。
【請求項２】
前記被装部が、乗る子供の両側方に配置されるシートの両側面部にそれぞれ被せられる位置に形成されていることを特徴とする請求項１記載の自転車の子乗せ装置用シートカバー。
【請求項３】
前記被装部が、シートの両側面部における前部から上部にわたって被せられる位置に形成されていることを特徴とする請求項２記載の自転車の子乗せ装置用シートカバー。
【請求項４】
前記被装部が、乗せる子供のひざよりも上方の位置に形成されていることを特徴とする請求項１〜３の何れか１項に記載の自転車の子乗せ装置用シートカバー。
【請求項５】
前記被装部が、シートカバーの両面に形成されていることを特徴とする請求項１〜４の何れか１項に記載の自転車の子乗せ装置用シートカバー。
【請求項６】
自転車の子乗せ装置に配設されているシートを覆うシートカバーであって、
表面側から裏面側に折り返された形状とされ、シートの外周の一部を表面側と裏面側との両側から包み込んだ状態に被せる被装部を有し、
調温材を収容するポケット部が設けられていることを特徴とする自転車の子乗せ装置用シートカバー。
【請求項７】
自転車の子乗せ装置に配設されているシートを覆うシートカバーであって、
表面側から裏面側に折り返された形状とされ、シートの外周の一部を表面側と裏面側との両側から包み込んだ状態に被せる被装部を有し、
シートベルトを通す切込み部が形成されていることを特徴とする自転車の子乗せ装置用シートカバー。
【請求項８】
請求項１〜７の何れか１項に記載のシートカバーが設けられた子乗せ装置を備えたことを特徴とする自転車。
【発明の詳細な説明】
【技術分野】
【０００１】
本発明は自転車の子乗せ装置に配設されているシートを覆うシートカバーに関する。
【背景技術】
【０００２】
自転車においては、子供を乗せる子乗せ装置が取り付けられているものがある。また、この種の子乗せ装置において、子供を収容する子乗せ本体の内側に、子供をやさしく乗せることができるよう、クッション性などを有するシートが配設されているものがある。前記シートは一般に子乗せ本体に固定されており、取り外して洗濯することなどができないため、このシートを覆うシートカバーを装着することも既に広く行われている。
【０００３】
シートカバーをシートに装着する方法として、シートカバーの数箇所に紐を取り付けて、シートの背面側に通した紐同士を結びつけて固定することなどが行われている。なお、類似するシートカバーの装着手法として、自動車のチャイルドシートに被せるシートカバーに紐を取り付けて、シートの背面側に通した紐同士を結びつけて前記チャイルドシートに固定するものが、例えば特許文献１等に開示されている。
【０００４】
また、自転車の子乗せ装置のシートにシートカバーを装着する他の方法としては、マジックテープ（登録商標）やベルクロ（登録商標）などとも称せられる面ファスナや、ホックなどと称せられる互いに係止可能な金属製の留め金などを、シートとシートカバーとの双方に取り付けて固定することが行われている。
【先行技術文献】
【特許文献】
【０００５】
【特許文献１】特開２００１−６３４１５公報
【発明の概要】
【発明が解決しようとする課題】
【０００６】
しかしながら、シートの背面側に通した紐同士を結びつけて固定する場合には、紐の一部がシートの外部に飛び出した状態となる場合が多いので、この紐の飛び出た部分に子供の手足が絡むなどして、安全性が低下したり、紐が解けてシートカバーが外れてしまったりするおそれがあった。
【０００７】
また、面ファスナを用いてシートカバーをシートに取り付けた場合には、長期間使用する間にファスナ面に綿埃や糸くずなどが付着して、付着力が弱くなり、シートカバーが外れ易くなることがある。また、留め金を用いてシートカバーをシートに取り付けた場合には、留め金部分が子供の体に直接または間接的に当接して、子供のすわり心地が悪くなったり、留め金が変形または破損して、シートカバーが外れてしまったりするおそれがあった。
【０００８】
本発明は上記課題を解決するもので、シートなどから外れ難いとともに長期間使用でき、また安全性が低下することを最小限に抑えることができる自転車の子乗せ装置用シートカバーを提供することを目的とするものである。
【課題を解決するための手段】
【０００９】
上記課題を解決するために、本発明は、自転車の子乗せ装置に配設されているシートを覆うシートカバーであって、表面側から裏面側に折り返された形状とされ、シートの外周の一部を表面側と裏面側との両側から包み込んだ状態で被せる被装部を有し、前記被装部の少なくとも一部が、子乗せ本体とシートとの間に挟みこまれる位置に形成されていることを特徴とする。
【００１０】
このように、表面側から裏面側に折り返された被装部により、シートの外周の一部を表面側と裏面側との両側から包み込んだ状態で被せて取り付ける構成とすることにより、被装部がシートの表面部分から飛び出ることがないので、紐で固定する場合のように子供の手足に絡むことを防止できて、良好な安全性を確保できる。また、被装部に綿埃や糸くずなどが付着しても面ファスナのように装着機能が低下することはない。また、留め金のように変形したり破損したりしないので、長期間にわたって良好に使用することができる。また、前記被装部の少なくとも一部が、子乗せ本体とシートとの間に挟みこまれる位置に形成されていることにより、使用時に被装部がシートから外れる可能性をさらに低減することができる。
【００１１】
また、本発明の自転車の子乗せ装置用シートカバーは、前記被装部が、乗る子供の両側方に配置されるシートの両側面部にそれぞれ被せられる位置、より好ましくは、シートの両側面部における前部から上部にわたって被せられる位置に形成されていることを特徴とする。また、本発明の自転車の子乗せ装置用シートカバーは、前記被装部が、乗せる子供のひざよりも上方の位置に形成されていることを特徴とする。
【００１２】
これらの構成により、被装部が、使用時には子供の足などに当たりにくい箇所に形成されるので、使用時に被装部がシートから外れることを最小限に抑えることができる。一方、洗濯のためなどに子乗せ装置用シートカバーを取り外す際には、被装部が設けられている箇所をシートの両側面部から取り外すだけで、取り外し作業を比較的容易に行うことができる。
【００１４】
また、本発明の自転車の子乗せ装置用シートカバーは、前記被装部が、シートカバーの両面に形成されていることを特徴とする。この構成により、シートカバーの表裏を反対にして、すなわちいわゆるリバーシブル状態で使用することができる。
【００１５】
また、本発明の自転車の子乗せ装置用シートカバーは、自転車の子乗せ装置に配設されているシートを覆うシートカバーであって、表面側から裏面側に折り返された形状とされ、シートの外周の一部を表面側と裏面側との両側から包み込んだ状態に被せる被装部を有し、冷却材や懐炉などの調温材を収容するポケット部が設けられていることを特徴とする。この構成により、ポケット部に冷却材や懐炉などの調温材を入れることで、子乗せ装置において子供が、夏季に涼しい状態で乗ったり、冬季に暖かい状態で乗ったりすることができる。
【００１６】
また、本発明の自転車の子乗せ装置用シートカバーは、自転車の子乗せ装置に配設されているシートを覆うシートカバーであって、表面側から裏面側に折り返された形状とされ、シートの外周の一部を表面側と裏面側との両側から包み込んだ状態に被せる被装部を有し、シートベルトを通す切込み部が形成されていることを特徴とする。この構成により、シートベルトを、前記切込み部を通して配設することにより、シートカバーの位置をシートベルトによっても最適な位置に維持しながら、シートベルトにより子供を安全に保持することができる。
【発明の効果】
【００１９】
本発明によれば、表面側から裏面側に折り返された形状とされて、シートの外周の一部を表面側と裏面側との両側から包み込んだ状態で被せる被装部がシートカバーに形成されているので、被装部をシートの外周の一部に被せて取り付けて、紐で固定する場合のように子供の手足に絡むことを防止して良好な安全性を確保しながら使用することができて良好な信頼性を得ることができる。また、被装部に綿埃や糸くずなどが付着しても面ファスナのように装着機能が低下することがなく、留め金のように変形したり破損したりしないので、長期間にわたって良好に使用することができて耐久性にも優れている。
【００２０】
また、前記被装部を、乗る子供の両側方に配置されるシートの両側面部にそれぞれ被せられる位置に形成したり、シートの両側面部における前部から上部にわたって被せられる位置に形成したり、乗せる子供のひざよりも上方の位置に形成したりして、被装部を、使用時には子供の足などに当たりにくい箇所に形成することにより、使用時に被装部がシートから外れることを最小限に抑えることができて信頼性が向上する。一方、洗濯のためなどに子乗せ用シートカバーを取り外す際には、取り外し作業を比較的容易に行うことができ、取り外し作業の作業能率が向上する。
【００２１】
また、前記被装部を、シートカバーの両面に形成することにより、シートカバーの表裏を反対にして、すなわちいわゆるリバーシブル状態で使用することができて、より長期間にわたって使用したり、シートカバーの両面を互いに異なるデザインや素材とすることで、前記デザインや素材を選択しながらシートカバーを使用したりすることができる。
【図面の簡単な説明】
【００２２】
【図１】本発明の実施の形態に係るシートカバーを配設した子乗せ装置を備えた自転車を斜め前方から見た斜視図
【図２】同実施の形態に係るシートカバーを配設した子乗せ装置の斜視図
【図３】同シートカバーを装着していない状態を示す子乗せ装置の斜視図
【図４】同シートカバーの正面図
【図５】同シートカバーの裏返した面を示す図
【図６】同シートカバーを装着した子乗せ装置の要部断面図
【図７】（ａ）および（ｂ）はそれぞれ同シートカバーの要部断面図
【図８】同シートカバーを子乗せ装置に装着する様子を示す斜視図
【図９】同シートカバーを裏返して配設した子乗せ装置の斜視図
【図１０】比較例としてのシートカバーの正面図
【図１１】他の比較例としてのシートカバーの正面図
【図１２】本発明の他の実施の形態に係るシートカバーを配設する子乗せ装置の斜視図（シートカバーは未装着状態）
【図１３】同他の実施の形態に係るシートカバーを配設した子乗せ装置の斜視図
【発明を実施するための形態】
【００２３】
以下、本発明の実施の形態に係る自転車の子乗せ装置用シートカバーについて、図面を参照しながら説明する。なお、以下の説明における左右とは、自転車に搭乗者が前方を向いて乗った状態で左右となる方向を言う。
【００２４】
図１に示すように、この実施の形態に係る自転車１では、前ハンドル２における二股に分かれたハンドルバー２ａが、分岐部から左右に広がった後に上方に延びる形状とされ、このハンドルバー２ａにおける左右の上延部間に、子供を乗せる子乗せ装置１０が配設されている。なお、図１における３は前輪である。また、以下の実施の形態では、自転車１の前部に取り付けられた子乗せ装置１０について図示したり述べたりしているが、これに限るものではなく、自転車の後部（後輪上方に配設されている荷台の上など）に取り付けられる子乗せ装置のシートカバーとしても適用可能である。
【００２５】
図１〜図３に示すように、子乗せ装置１０は、上方および前下部が開口した略箱形状の子乗せ本体１１と、子乗せ本体１１の背面部分から上方に出退可能な背もたれ１２と、子乗せ本体１１の前下部に形成された足挿通用開口部を開閉可能に配設された足乗せ１３と、子乗せ本体１１の前側上端部を左右に横切るように配設され、子供に握らせるためのグリップハンドル１４と、子乗せ本体１１内に敷かれたクッション性を有するシート１５（図３参照）と、複数本のシートベルト１６ａとバックル１６ｂ、バックル結合部１６ｃなどからなるシートベルト装置１６などから構成されている。なお、子乗せ本体１１、背もたれ１２、足乗せ１３は、樹脂製とされているが、これに限るものではない。
【００２６】
子乗せ本体１１は、前面部１１ａ、背面部１１ｂ、左側面部１１ｃ、右側面部１１ｄ、底面部１１ｅなどがつながった状態で、箱状に一体形成され、この子乗せ本体１１の内側にシート１５が取り付けられている。シート１５は、その前方部分が二股になった着座部１５ａと、着座部１５ａの後辺部分から上方に延びるように配設された背面部１５ｂと、背面部１５ｂの左側辺部から前方に延びるように配設された左側面部１５ｄと、背面部１５ｂの右側辺部から前方に延びるように配設された右側面部１５ｅとから構成されている。ここで、背面部１５ｂは略矩形状とされている。また、シート１５の左側面部１５ｄと右側面部１５ｅとは、乗る子供の両側方に配置されており、後側ほど上下に略三角形状に広がった後に細くなった形状とされ、後辺部の上下方向中央部分だけで背面部１５ｂの左辺部分または右辺部分につなげられている。なお、着座部１５ａと背面部１５ｂとは分離されていても、つながった形状に形成されていてもよい。
【００２７】
また、子乗せ本体１１の背面部１１ｂにおけるシート１５の背面部１５ｂよりも直ぐ上の左側部分と右側部分と、子乗せ本体１１の底面部１１ｅの後部（シート１５の着座部１５ａの後方）の左側方と右側方とからは子供の身体（肩部や胴部など）を保持するためのシートベルト１６ａが子乗せ本体１１内に出されている。また、着座部１５ａの二股箇所の凹部１５ｇには、子供の股の間を通すシートベルト１６ａが通されている。また、シート１５は、その着座部１５ａと背面部１５ｂとにおいて、子乗せ本体１１の背面部１１ｂと底面部１１ｅとに係止具を介して固定されている（図示せず）。
【００２８】
シート１５には、本発明の実施の形態に係る自転車の子乗せ装置用のシートカバー２０が装着される。図４、図５に示すように、シートカバー２０は、比較的柔らかな布状の素材で形成されており、シート１５の着座部１５ａに沿うように配設され、一部が二股になった着座部２１と、シート１５の背面部１５ｂに沿うように配設される略矩形状の下背面部２２と、子乗せ本体１１の背面部１１ｂにおけるシート１５の背面部１５ｂよりも上方の部分に沿うように配設される略矩形状の上背面部２３と、シート１５の左側面部１５ｄに沿うように配設される左側面部２４と、シート１５の右側面部１５ｅに沿うように配設される右側面部２５とを有している。
【００２９】
下背面部２２と上背面部２３との境界となる辺の左寄り部分と右寄り部分とには、シートベルト１６ａ（より詳しくは左ショルダー部のシートベルト１６ａと右ショルダー部のシートベルト１６ａ）を通すための切込み部２６が形成されている。また、着座部２１の二股箇所の凹部２１ａには、子供の股の間を通すシートベルト１６ａが通される。
【００３０】
シートカバー２０の左側面部２４と右側面部２５とは、シート１５の左側面部１５ｄと右側面部１５ｅとの形状と同様に、後側ほど上下に略三角形状に広がった後、細くなるように括れた形状とされている。さらに、シートカバー２０の左側面部２４と右側面部２５とには、シート１５の左側面部１５ｄと右側面部１５ｅとの各外周部の表面側から裏面側に折り返されて袋形状（ポケット形状）とされた被装部２７が設けられており、これら被装部２７を、左側面部２４と右側面部２５との外周側寄り箇所に、表面側と裏面側との両側から包み込んだ状態で被せる（図６参照）ことで、シートカバー２０をシート１５に取り付ける（装着する）よう構成されている。ここで、被装部２７は、シート１５の両側面部（左側面部１５ｄと右側面部１５ｅ）における前部から上部にわたって被せられる位置に形成されている。より詳しくは、被装部２７は、シート１５の両側面部（左側面部１５ｄと右側面部１５ｅ）の前部における頂部よりも下方の位置から、両側面部の上部における上背面部２３の上左角部（または上右角部）近傍箇所まで（すなわち側方に山形状に突出する部分と上方に山形状に突出する部分とにかけて）略Ｃ形状にわたって連続して形成され、これらの箇所でシート１５の両側面部に被せられている。
【００３１】
また、被装部２７は、左側面部２４と右側面部２５とにおける、乗せる子供のひざより略上方となる位置に形成されている。さらに、この実施の形態では、図２、図４、図５、図９などに示すように、被装部２７が、シートカバー２０の両面に形成され、シートカバー２０が表裏を逆にしてシート１５に装着することも可能（いわゆるリバーシブル構造）とされている。また、図６に示すように、被装部２７の一部は、子乗せ本体１１とシート１５との間に挟みこまれる位置まで形成されており、これにより、シートカバー２０がシート１５に装着された状態では、シートカバー２０の被装部２７が子乗せ本体１１とシート１５との間に挟みこまれて、被装部２７は外部に露出せずに、外れ難くなっている。
【００３２】
また、シートカバー２０の一部、この実施の形態では、シートカバー２０の下背面部２２の片面に、不凍液が充填された冷却材や懐炉などの調温材を収容するポケット部２８が設けられている。
【００３３】
図７（ａ）に示すように、シートカバー２０は、例えば、発泡ポリエチレンシートなどの弾性や速乾性を有する基材２０ａの両面に、塩化ビニル材などの防水性素材２０ｂを配設し、さらにこの上に綿などの柔らかで肌触りのよい表面材２０ｃを植設すればよいが、これに限るものではない。
【００３４】
上記構成において、シートカバー２０をシート１５に装着する際には、図８に示すように、被装部２７とこの被装部２７が設けられている側面部（左側面部２４または右側面部２５）との間の隙間を広げながら、被装部２７をシート１５の側面部（左側面部１５ｄと右側面部１５ｅ）における前部から上部にかけての外周側寄り箇所に被せて取付ける。これにより、比較的容易かつ確実にシートカバー２０をシート１５に装着することができる。
【００３５】
上記構成によれば、表面側から裏面側に折り返された形状の被装部２７を形成して、被装部２７を、シート１５の外周の一部に対して表面側と裏面側との両側から包み込んだ状態で被せて装着することにより、被装部２７がシート１５から飛び出ることがないので、紐で固定する場合のように子供の手足に絡むことを防止できて、安全性を確保しながらシートカバー２０を使用することができて、良好な信頼性を得ることができる。
【００３６】
また、面ファスナのように綿埃や糸くずなどが付着することはなく、留め金のように変形したり破損したりしないので、長期間にわたって良好に使用することができる。また、被装部２７が、乗る子供の両側方に配置されるシート１５の両側面部における前部から上部にわたって、表面側と裏面側との両側から包み込んだ状態に被せるように形成されているので、前記被装部２７がシート１５から外れることを最小限に抑えながら、洗濯のためなどにシートカバー２０を取り外す際には、取り外し作業を比較的容易に行うことができる利点がある。つまり、比較例として図１０、図１１に示すように、被装部２７を、シート１５の両側面部における前部だけを被せるように形成したり、被装部２７を、シート１５の両側面部における前部と上部とが分離した状態で被せるように形成したりした場合には、子供の手が被装部２７に当たった際にシートカバー２０が外れ易くなり好ましくなかった。これに対して、被装部２７が、乗る子供の両側方に配置されるシート１５の両側面部における前部から上部にわたって被せるように形成することで、前記被装部２７（すなわちシートカバー２０）がシート１５から外れることを最小限に抑えることができた。また、被装部２７を、乗る子供の両側方に配置されるシート１５の両側面部における前部から上部にわたるとともに、前部から下部にもわたって被せるように形成すると、使用時だけでなく、洗濯などのために取り外す際の作業が困難となって多くの手間が係るので、好ましくない。
【００３７】
また、被装部を、乗せる子供のひざよりも上方の位置に形成することで、通常の使用時には、被装部２７が子供の足などに当たり難くなり、被装部２７がシート１５から外れる可能性をさらに低減することができる。また、被装部２７の一部が、子乗せ本体１１とシート１５との間に挟みこまれているので、使用時に被装部２７に手などが当たる可能生成がさらに低減されて、シートカバー２０がシート１５から外れる可能性をさらに低減することができる。
【００３８】
また、被装部２７を、シートカバー２０の両面に形成することで、シートカバー２０の表裏を反対にして、すなわちいわゆるリバーシブル状態で使用することができる。したがって、より長期間にわたって使用したり、シートカバー２０の両面を互いに異なるデザインや素材とすることで、前記デザインや素材を選択しながらシートカバー２０を使用したりすることができる。なお、図７（ｂ）に示すように、シートカバー２０の片側の面を防水性素材２０ｂがその表面に露出するように覆ってもよく、これによれば雨天などの場合に、表側に防水性素材２０ｂが露出するようにシートカバー２０を取付けて、シートカバー２０がぬれ難くなるようにしてもよい。
【００３９】
また、シートカバー２０に冷却材や懐炉などの調温材を収容するポケット部２８が設けられているので、ポケット部２８に冷却材や懐炉を入れることで、子乗せ装置１０に、夏季に涼しい状態で乗ったり、冬季に暖かい状態で乗ったりすることができて快適となる。
【００４０】
また、シートカバー２０に、シートベルト１６ａを通す切込み部２６が形成されているので、シートカバー２の位置がシートベルト１６ａによっても規制されて最適な位置に維持される。
【００４１】
なお、上記実施の形態では、シートカバー２０が、自転車の子乗せ装置１０に設けられたシート１５に装着される場合を述べたが、これに限るものではなく、図１２、図１３に示すように、自転車の子乗せ装置１０において、シート１５が無い場合に、子乗せ装置１０の子乗せ本体１１に直接、装着するよう構成してもよい。この場合は、子乗せ本体１１の側面部（左側面部１１ｃ’と右側面図１１ｄ’）に、前記シート１５の左側面部１１ｃと右側面図１１ｄと同様な形状の膨出形状部を形成し、この子乗せ本体１１の側面部（左側面部１１ｃ’と右側面図１１ｄ’）に、上記シートカバー２０と同様な構成とするとともにそのシートカバー２０の被装部２７’を、シート１５の左側面部１１ｃと右側面図１１ｄとの外周の一部（膨出部分）を表面側と裏面側との両側から包み込んだ状態に被せて装着する構造とすればよい。
【産業上の利用可能性】
【００４２】
本発明は、自転車の子乗せ装置に対して広く適用することができ、自転車としても電気自転車やこれ以外の自転車に広く適用できる。
【符号の説明】
【００４３】
１      自転車
２      前ハンドル
１０    子乗せ装置
１１    子乗せ本体
１５    シート
１５ａ  着座部
１５ｂ  背面部
１５ｄ  左側面部
１５ｅ  右側面部
１６    シートベルト装置
１６ａ  シートベルト
２０    シートカバー
２１    着座部
２２    下背面部
２３    上背面部
２４    左側面部
２５    右側面部
２６    切込み部
２７    被装部
２８    ポケット部
【図１】
0005688560.tif 000002
【図２】
0005688560.tif 000003
【図３】
0005688560.tif 000004
【図４】
0005688560.tif 000005
【図５】
0005688560.tif 000006
【図６】
0005688560.tif 000007
【図７】
0005688560.tif 000008
【図８】
0005688560.tif 000009
【図９】
0005688560.tif 000010
【図１０】
0005688560.tif 000011
【図１１】
0005688560.tif 000012
【図１２】
0005688560.tif 000013
【図１３】
0005688560.tif 000014